(57)【特許請求の範囲】
【請求項１】
外層(2)の内面に該外層(2)から剥離可能な内層(3)を積層してなり、円筒状の口部(4)の外層(2)部分に吸気孔(5)を形成した容器本体(1)と、有頂円筒状の嵌入筒片(12)を有し、該嵌入筒片(12)の頂壁(13)の中央部に開口部(14)を形成し、該開口部(14)の周縁近傍にシール筒片(16)を立設し、前記嵌入筒片(12)を前記口部(4)に密嵌入して、前記容器本体(1)に組付き固定する中栓(11)と、下端部の内周面を前記容器本体(1)に密周接した状態で、該容器本体(1)の上部を外装する円筒状の外装筒(22)を有し、該外装筒(22)の上端に、中央部に注出口(34)を形成し、該注出口(34)の外側に円筒状の垂下筒片(37)を垂下設し、該垂下筒片の外側に円筒状の上部シール筒片(33)を垂下設し、該上部シール筒片(33)の外側に上下貫通孔(35)を形成した頂板(32)を有する、有頂円筒状の注出筒(24)を立設したキャップ体(20)と、下端部を前記中栓(11)のシール筒片(16)に、上端部を前記キャップ体(21)の垂下筒片(38)と上部シール筒片(33)の間隙に密嵌入する円筒状の流路筒片(42)を有し、該流路筒片(42)の下端に前記容器本体(1)内への内容物の逆流および外気の流入を不能に、開口部(14)を開閉する第1逆止弁(45)を設け、該流路筒片(42)の略中央部高さ位置から外鍔周片(43)を介して下方に向かって拡径して、下端部の外周面が前記注出筒(24)の内周面に密周接する第2逆止弁(44)を垂下設した軟質合成樹脂製の流路形成部(41)とからなり、前記容器本体(1)と中栓(11)とキャップ体(20)と流路形成部(41)とを組み立てた状態で、前記上下貫通孔(35)と吸気孔(5)が第２逆止弁(44)を介して密封状態で連結される構成とした、滴下容器。

【請求項２】
キャップ体(20)の注出筒(24)の頂板(32)の部分を別体の頂壁部(31)として、注出筒(24)の上端部に組付き固定する構成とした、請求項１記載の滴下容器。
【請求項３】
内容物を目薬とした、請求項１または２記載の滴下容器。
【発明の詳細な説明】
【０００１】
【発明の属する技術分野】
本発明は、滴下容器、特には容器内部へ外部の空気を進入させることなく内容物の注出が可能な目薬用容器等の小型の滴下容器に関する。
【０００２】
【従来の技術】
たとえば、目薬等の薬品を収納する容器においては、容器の胴部を指で押圧して、少量づつを注出、あるいは滴下する容器が多く用いられているが、滴下を終わって押圧状態を解除すると、胴部が弾性的にもとの形状に戻り、その結果として外部の空気が容器内部に進入し、空気中に存在する異物や雑菌が内容液に混入してしまうという問題があった。
【０００３】
このような問題を解決するための方法として、たとえば特開平４−２９７２６４号公報、特開平６−１４９７２号公報には、内容液の吐出流路内にフィルターを付設する方法、また実開昭６３−１８３０４７には容器の末端部が扁平化された形状もしくは偏平状態に折り畳み可能にして、容器の容積が内容液の減少にしたがって減少するようにし、外部の空気の進入を抑制する方法についての記述が有る。
【０００４】
さらに、外部の空気を進入させない方法として、特開平１０−１８０８５３には外層とこの外層に剥離自在に積層された内層からなり、内容物が減少した分、内層が外層から剥離しながら萎み変形し、外層と内層との間隙に外部空気を導入する積層容器についての記述が有る。
【０００５】
【発明が解決しようとする課題】
しかしながら、吐出流路内にフィルターを付設する方法は、フィルターの目詰まり、あるいはフィルターの部分で雑菌が繁殖する等の問題があり、実開昭６３−１８３０４７の末端部を偏平化する方法は、主としてたとえば歯磨き用チューブ等に用いられるものを応用しようとするものであり、使用上の利便性、外観上の問題があった。
【０００６】
また、特開平１０−１８０８５３の容器はたとえばシャンプー等を収納して口部にディスペンサーポンプを付けて使用するものであり、目薬等の滴下容器では、ポンプ等を使用することなく、胴部の押圧により滴下する必要がある。
【０００７】
このため、剥離可能な積層容器を滴下容器として使用するためには、容器の注出口において、内容物の注出は可能で、外部の空気進入を不能にする機能を有した第１逆止弁および、外層と内層の間隙への外部の空気の進入は可能で、流出は不能にする機能を有した第２逆止弁を必要とするが、特に目薬等の小型の滴下容器ではこのような機能を、高い生産性を維持しながら、付設することが難しく実現することが困難であった。
【０００８】
本発明は上記した従来の技術の問題点を解消すべく創案されたものであり、特には高い生産性を維持しながら、小型容器で実現可能な逆止弁機構の創出を技術的課題とし、もって生産性が高く、外気の内部への進入がなく、衛生面で優れた滴下容器を提供することを目的とする。
【０００９】
【課題を解決するための手段】
上記技術的課題を解決するための本発明のうち、請求項１記載の手段は、外層の内面にこの外層から剥離可能な内層を積層してなり、円筒状の口部の外層部分に吸気孔を形成した容器本体を有すること、
有頂円筒状の嵌入筒片を有し、この嵌入筒片の頂壁の中央部に開口部を形成し、この開口部の周縁近傍にシール筒片を立設し、嵌入筒片を口部に密嵌入して、容器本体に組付き固定する中栓を有すること、
下端部の内周面を容器本体に密周接させた状態で、この容器本体の上部を外装する円筒状の外装筒を有し、この外装筒の上端に、中央部に注出口を形成し、この注出口の外側に円筒状の垂下筒片を垂下設し、この垂下筒片の外側に円筒状の上部シール筒片を垂下設し、この上部シール筒片の外側に上下貫通孔を形成した頂板を有する、有頂円筒状の注出筒を立設したキャップ体を有すること、
下端部を中栓のシール筒片に、上端部をキャップ体の垂下筒片と上部シール筒片の間隙に密嵌入する円筒状の流路筒片を有し、この流路筒片の下端に容器本体内への内容物の逆流および外気の流入を不能に、開口部を開閉する第1逆止弁を設け、流路筒片の略中央部高さ位置から外鍔周片を介して、下方に向かって拡径して、下端部の外周面が注出筒の内周面に密周接する第2逆止弁を垂下設した軟質合成樹脂製の流路形成部を有すること、
容器本体と中栓とキャップ体と流路形成部とを組み立てた状態で、上下貫通孔と吸気孔が第２逆止弁を介して密封状態で連結される構成とすること、
にある。
【００１０】
請求項１記載の上記構成にあって、容器本体と、中栓と、キャップ体と、流路形成部を組付け固定し、外装筒が容器本体の上部に密に外嵌し、中栓の開口部から注出口への内容物の流路を形成する流路形成部の流路筒片が下端部を中栓のシール筒片および上端部をキャップ体の上部シール筒片に密嵌入した状態では、容器本体の吸気孔が形成された部分において第2逆止弁の作用により、外層と内層の間隙への空気の進入が可能に、間隙から容器本体外部への流出が不能に、上下貫通孔と吸気孔が密封状態で連結される。
【００１１】
容器本体の胴部の押圧により、内容物を注出した後、押圧を止め、押圧を解除すると内容物の注出が止まり、外層が弾性回復力により元の形に復元し始め、中栓に設けた第1逆止弁の機能により容器本体内部への内容物の逆流および外部の空気の進入を防ぐことができる。
【００１２】
この際、内層は減容変形した状態を保持したままであるので、外部の空気が上下貫通孔から導入され、第2逆止弁を内側方向に変形させながら、吸気孔から、外層と内層との間隙に進入し、その結果として内層は萎み変形した形状のままで、外層が元の形状に復元される。
【００１３】
外層が元の形状に復元した状態から、内容物を注出するために再度押圧する際には、2逆止弁の逆止機能により、上下貫通孔と吸気孔との連結が遮断されるため、内容物に圧力が加えられ、内容物が第１逆止弁を開けて容器本体から、流路形成体を通して注出口から外部に注出される。
【００１４】
上記のように、外部の空気を容器本体内へ進入させることなく、外層と内層の間隙に進入させることにより、内容物を外部の空気に触れさせることなく、押圧による注出操作性を損なうことない容器を提供することができる。
【００１５】
ここで、第１逆止弁および、第２逆止弁はそのシール機能を発揮するために、軟質合成樹脂あるいはゴム状の材料で形成する必要があるが、請求項１記載の発明では、一つの部材である流路形成部がこの両逆止弁を有した構成としており、両逆止弁を別々に成形することなく一体に成形するので、生産性を向上させることができる。
【００１６】
さらに、逆止弁を別体として成形すると、細かい部材となり組み立て工程が複雑になり時間もかかるが、請求項１記載の発明では両逆止弁を流路筒片に一体にした構成であり、流路筒片の下端部をシール筒片に、上端部を上部シール筒片に嵌入させることにより、容易に両逆止弁を容器内に組み込むことができ、高い生産性を維持しながら、容器を提供することができる。
【００１７】
請求項２記載の発明の手段は、請求項１記載の発明において、キャップ体の注出筒の頂板の部分を別体の頂壁部として、注出筒の上端部に密に組付き固定する構成とすること、にある。
【００１８】
請求項２記載の上記構成により、キャップ体を2つの部材に分けて成形することことにより、細かい形状をより高い生産性を保持しながら成形することが可能となる。
【００１９】
キャップ体を一体成形するか、あるいは２つの部材に分けて成形するかは、キャプ体の形状、成形性を考慮して選択することができる。
【００２０】
請求項3記載の発明の手段は、請求項１または２記載の発明において、内容物を目薬とすること、にある。
【００２１】
外部の空気の雑菌あるいはごみ等の異物の容器本体内への進入を防ぐことができるので、衛生性、安全性に優れた目薬用の滴下容器を提供することができる。
【００２２】
【発明の実施の形態】
以下、本発明の実施の形態を図面を参照しながら説明する。
図１〜４は本発明の滴下容器の一実施例を示すものであり、容器本体１、中栓１１、キャップ体２０および流路形成部４１から形成される。なお本一実施例においてはキャップ体２０は、注出口３４を開口した頂板３２部分を形成する頂板部３１と外装筒２２の上部に注出筒２４を立設した外装部２１の２つの部材から構成される。
【００２３】
容器本体１は押圧による弾性変形およびこの変形の回復可能な外層２と、この外層２に剥離可能に積層した内層３から形成された積層容器であり、胴部７の上に肩部８を介して短円筒状の口部４が形成されており、ブロー成形法によって成形されたものである。
【００２４】
この容器本体１の口部４には、中心軸に対して軸対称の位置に、外層２を円盤状に取り除いて一対の吸気孔５が形成されており、上端部の外周面には後述する外装筒２２の内表面に付設された縦突条２６が嵌入する、複数本の縦溝９が刻設されている。
【００２５】
中栓１１は、容器本体１の口部４に密に嵌入する有頂の短円状の嵌入筒片１２からなり、この嵌入筒片１２の頂壁１３の中央部分に開口部１４が形成されており、この開口部１４の周縁から少し離れた位置に後述する流路筒片４２の下端部が密に嵌入するシール筒片１６を立設し、また嵌入筒片１２の上端から外鍔状にフランジ片１７を連接さらにこのフランジ片１７の端縁から、その上端に外鍔状に係止周片１８ａを付設した係止筒片１８を立設している。
【００２６】
キャップ体２０の外装部２１は円筒状の外装筒２２に内鍔状の肩片２５を介して円筒状の注出筒２４を立設している。
【００２７】
外装筒２２の下端部の内周面には、容器本体１の肩部８に密周接して密閉するための、シール周条２３が付設されており、内周面の上端部には容器本体１の口部４に刻設した複数本の縦溝９に嵌合する、複数本の縦突条２６が付設されており、さらにこの縦突条２６の上端部には、中栓１１の係止筒片１８に付設した係止周片１８ａに係止する係止突片２６ａを設けている。なおシール周条２３の替わりに軟質材料からなるオーリングを使用することもできる。
【００２８】
キャップ体２０の頂板部３１は、有頂短円筒状の頂板嵌入筒３６を有し、この頂板嵌入筒３６の頂板３２には、中央部に注出口３４が形成され、この注出口３４の周縁から円筒状で、上端開口部を滴下口３７ａとした滴下筒片３７が立設され、この滴下筒片３７を下方に延長して円筒状の垂下筒片３８が垂下設され、この垂下筒片３８の外側に後述する流路筒片４２の上端部が密に嵌入する上部シール筒片３３が垂下設され、周縁にはその下端面が注出筒片２４の上端面に当接するフランジ周片が３６ａ付設されており、さらに頂板３２の上部シール筒片３３と嵌入筒片３６の間の部分に外部の空気を注出筒２４内に導入するための上下貫通孔３５が形成されている。
【００２９】
流路形成部４１は、下端部を中栓１１のシール筒片１６に、上端部を頂板部３１の上部シール筒片３３に密嵌入する円筒状の流路筒片４２を有し、この流路筒片４２の下端に容器本体１内への内容物の逆流および外気の流入を不能に、中栓１１の開口部１４を開閉する第1逆止弁４５を設け、また流路筒片４２の略中央部高さ位置から周設された外鍔片４３を介して、外部からの空気の進入可能に、内部からの空気の流出不能に、下方に向かって拡径して、下端部の外周面が注出筒２４の内周面に密周接する、略円筒状の第2逆止弁４４を垂下設した構成としている。
【００３０】
ここで、第１逆止弁４５は各種の構造を取り得るが、本一実施例では、円盤状の弁体４５ａを連結片４５ｂを介して、流路筒片４２の内周面の下端部に連接した構成としており、連結片４５ｂを基端として上方向への揺動が可能であり、逆止弁としての機能を果たす。
【００３１】
第１逆止弁４５および第2逆止弁４４としての機能を果たすと共に、シール筒片１６および上部シール筒片３３に密嵌入してシール機能を充分発揮するために、流路形成部４１を軟質合成樹脂で形成し、さらに第2逆止弁４４の特に下端部は肉薄に成形し、内側方向への変形を容易にしている。
【００３２】
次に、上述した容器本体１、中栓１１、キャップ体２０（外装部２１、頂板部３１）および流路形成部４１を組み立てた状態および容器の使用状態の一形態を説明する。
【００３３】
中栓１１は、口部４に嵌入筒片１２を密に嵌入、フランジ片１７の下面が口部４の上端面に当接した状態で、容器本体１に組付き固定し、第１逆止弁４５と共に容器本体１内の密閉性を維持する。
【００３４】
外装部２１は、外装筒２２を容器本体１の上部に外嵌して容器本体１に組付き固定しているが、この際、外装筒２２の下端部内周面に形成されたシール周条２３が容器本体１の肩部８に密周接しており、シール性を確保している。
【００３５】
また、外装筒２２に付設した複数の縦突条２６が口部４に設けた縦溝９に嵌合し、係止片２７が口部４の係止段部４ａに係止し、回動、および上方への取り外れ不能に容器本体１に対する強固な組付き固定を達成している。
【００３６】
頂板部３１は、頂板嵌入筒片３６を注出筒２４に嵌入、フランジ周片３６ａの下面が注出筒２４の上端面に当接した状態で、注出筒２４に組付き固定する。
【００３７】
流路形成部４１は、流路筒片４２の下端部を中栓１１のシール筒片１６に密に嵌入し、上端部を垂下筒片３８と上部シール筒片３３の間隙に密嵌入した状態であり、第１逆止弁４５の弁体４５ａは中栓１１の開口部１４を閉じるようにその下面を頂壁１３の上面に接触して位置し、また第２逆止弁４４はその下端部を、注出筒２４の内面に密周接した状態で位置する。
【００３８】
上記した本発明の滴下容器の一実施例の組み立ては、流路形成部４１を流路筒片４２の上端部を上部シール筒片３３に嵌入することにより頂板部３１に組付き固定し、この頂板部３１を頂板嵌入筒３６を注出筒２４に嵌入させることにより外装部２１に組付き固定し、この外装部２１を外装筒２２を中栓１１を組付き固定した容器本体１の上部に組付き固定することにより達成されるが、この組立工程において、流路筒片４２に連接された第１逆止弁４５および第２逆止弁４４を、何らかの位置合わせの必要なく容器内に適正に位置させることができ、高い生産性を保持しながら容器を提供できる。
【００３９】
なお通常、本一実施例の滴下容器は使用しない際には、図１にあるように、オーバーキャップ２９を注出筒２４に螺合組付け等して保管する。
【００４０】
上記した組み立て状態から、容器本体１の胴部を指先で押圧すると、第１逆止弁４５が連結片４５ｂを支点に、上部に持ち上がり、内容物が、先端の滴下口３７ａから外部に注出されるが、この滴下筒片３７と共に、流路筒片４２がシール性を維持しながら、中栓１１の開口部１４から滴下口３７ａに至る、内容物が流動するための流路を形成する。
【００４１】
上記注出状態から、押圧を解除すると内容物の注出が止まり、外層２が弾性回復力により元の形に復元し始め、中栓１１に設けた第1逆止弁４５の機能により、容器本体１内部への内容物の逆流および外部の空気の進入を防ぐことができる。
【００４２】
この際、内層３は減容変形した状態を保持したままであるので、外部の空気が上下貫通孔３５から導入され、第2逆止弁４４を内側方向に変形させながら、吸気孔５から、外殻層２と内層３との間隙６に導入され、その結果として内層３は萎み変形した形状のままで、外層２元の形状に復元される。図４において、破線で示した矢印は、上下貫通孔３５から吸気孔５を通り、外層２と内層３の間隙６に至る外部の空気の進入経路を示す。
【００４３】
外層２が元の形状に復元した状態から、内容物を注出するために再度押圧する際には、第2逆止弁４４の逆止機能により、上下貫通孔３５と吸気孔５との連結が遮断されるため、容器本体１において外層２と内層３の間隙６の空気が密封された状態であり、内容物に圧力が加えられ、内容物が第１逆止弁４５を開けて容器本体１から、流路筒片４２を通して滴下口３７ａから外部に注出される。
【００４４】
なお、本発明の滴下容器は、たとえば目薬容器等の小型の容器に限定されるものでなく、高い生産性を保持しながら、逆止弁等を形成できるという特徴を生かして各種スクイズ容器として使用できるものである。
【００４５】
【発明の効果】
本発明は、上記した構成となっているので、以下に示す効果を奏する。
請求項１記載の発明にあっては、押圧による注出操作性を損なうことなく、外部の空気の容器本体内への進入がない、衛生的に優れた滴下容器を提供できるようになった。
【００４６】
一つの部材である流路形成部が、第１および第２逆止弁の機能を有した構成としており、両機能弁を別々に成形することなく一体に成形することが可能となり、生産性を向上させることができる。
【００４７】
また、流路筒片の下端部をシール筒片に、上端部を上部シール筒片に嵌入させることにより、容易に両逆止弁を容器内に組み込むことができ、高い生産性を維持しながら、２つの逆止弁を有した容器を提供することができる。
【００４８】
請求項２記載の発明にあっては、キャップ体を２つの部材に分けて成形することにより、細かい形状をより高い生産性を保持しながら成形することができる。
【００４９】
請求項３記載の発明にあっては、外部の空気の雑菌あるいはごみ等の異物の容器本体内への進入を防ぐことができるので、衛生性、安全性に優れた目薬用の滴下容器を提供することができる。
【図面の簡単な説明】
【図１】本発明の滴下容器の一実施例にオーバーキャップを被せた状態を示す、半縦断正面図。
【図２】本発明の滴下容器の一実施例を示す、平面図。
【図３】図１の縦断面図で示した部分を要部拡大して示す、縦断面図。
【図４】図３において外部の空気の進入通路を示した、説明図。
【符号の説明】
１  ；  容器本体
２  ；  外層
３  ；  内層
４  ；  口部
４ａ  ；  係止段部
５  ；  吸気孔
６  ；  間隙
７  ；  胴部
８  ；  肩部
９  ；  縦溝
１１  ；  中栓
１２  ；  嵌入筒片
１３  ；  頂壁
１４  ；  開口部
１６  ；  シール筒片
１７  ；フランジ片
１８  ；  係止筒片
１８ａ  ；  係止周片
２０  ；  キャップ体
２１  ；  外装部
２２  ；  外装筒
２３  ；  シール周条
２４  ；  注出筒
２５  ；肩片
２６  ；  縦突条
２６ａ  ；  係止突片
２７  ；  係止片
２９  ；  オーバーキャップ
３１  ；  頂板部
３２  ；  頂板
３３  ；  上部シール筒片
３４  ；  注出口
３５  ；  上下貫通孔
３６  ；  頂板嵌入筒
３６ａ  ；  フランジ周片
３７  ；  滴下筒片
３７ａ  ；  滴下口
３８  ；  垂下筒片
４１  ；  流路形成部
４２  ；  流路筒片
４３  ；  外鍔周片
４４  ；  第２逆止弁
４５  ；  第１逆止弁
４５ａ  ；  弁体
４５ｂ  ；  連結片
【図１】
0004045533.tif 000002
【図２】
0004045533.tif 000003
【図３】
0004045533.tif 000004
【図４】
0004045533.tif 000005